(57)【要約】【課題】オシャレに日本酒をワイン風に楽しむというコンセプトに合致しつつ、熟練を要することなく所定量の日本酒を提供することができる日本酒用ワイングラスの提供を図る。【解決手段】酒を注ぐことができるカップ部１２を備えたワイングラスである。カップ部１２は、注がれる酒が日本酒であることを飲用者に理解させることができる酒種表示部２１を備える。酒種表示部２１は、カップ部に注がれる日本酒の量が所定の設定値となる位置に配置されている。酒種表示部２１は、日本酒を意味する文字を含むものであると共に、大量表示２２と小量表示２３とを備える。大量表示２２は、酒種表示部２１のうち最も高い位置にあり、小量表示２３は酒種表示部２１のうち最も低い位置にある。【選択図】図１
0003208760.tif 000002
【実用新案登録請求の範囲】
【請求項１】
酒を注ぐことができるカップ部を備え、
前記カップ部は、注がれる酒が日本酒であることを飲用者に理解させることができる酒種表示部を備え、
前記酒種表示部が、前記カップ部に注がれる日本酒の量が所定の設定値となる位置に配置されていることにより、
日本酒用のワイングラスであることを表示すると共に適正量の日本酒を前記カップ部に注ぐことができるように促すことができるように構成されたことを特徴とする日本酒用ワイングラス。
【請求項２】
前記酒種表示部は、日本酒を意味する酒種表示文字を含み、
前記酒種表示文字は、大量表示と少量表示とを備え、
大量表示は、前記酒種表示のうち最も高い位置にある表示部分により構成され、
小量表示は、前記酒種表示のうち最も低い位置にある表示部分により構成されたことを特徴とする請求項１記載の日本酒用ワイングラス。
【請求項３】
前記酒種表示は、左右方向に複数の前記大量表示と、左右方向に複数の前記小量表示とを備え、
ワイングラスの直立状態において、前記複数の大量表示の高さが同一であり、且つ、前記複数の小量表示の高さが同一であることにより、
日本酒を注いだ際、ワイングラスが直立していることを確認することができるように構成されたことを特徴とする請求項２記載の日本酒用ワイングラス。
【請求項４】
注がれた日本酒を受容する前記カップ部と、前記カップ部を支持する上下方向に伸ばされたステム部と、前記ステム部の下端に配置されワイングラスを直立させるフット部とを備え、
前記カップ部の少なくとも前記酒表示部の周辺は透明又は半透明であり、
前記酒種表示部は半透明又は不透明の文字が前記カップ部の側面に表示されたものであり、
前記酒表示部の上端は前記カップ部内に注がされた日本酒の量が120ccとなる位置に一致し、
前記酒表示部の下端は前記カップ部内に注がされた日本酒の量が90ccとなる位置に一致することを特徴とする請求項１記載の日本酒用ワイングラス。
【考案の詳細な説明】
【技術分野】
【０００１】
本考案は、ワイングラス、特に日本酒を注いで飲むために適したワイングラスに関するものである。
【背景技術】
【０００２】
ワイングラスは、ワインを飲酒するのに適したグラスとして古くから親しまれており、種々の改良が提案されている。例えば、特許文献１にあっては、ワインの香りを増強するために、ワインの空気混入を増加させるワイングラスを提供し、さらに審美的に美しい外観のワイングラスを提供せんとしている。
【０００３】
また、日本酒用の飲料容器にあっても種々の改良が提案されている。例えば、特許文献２に示される提案もなされている。特許文献２にあっては、使い勝手が良く、意匠性に優れた飲食用容器およびこれを用いた飲料の提供方法を提案するもので、枡型の大容器の収容部内に、４つのグラスが並べて収容されている複合容器が示されている。この複合容器は、枡型の大容器の外壁面には、それぞれ「イ」「ロ」「ハ」「ニ」の文字が記載され、イ、ロ、ハ、ニの順番で、飲者に日本酒を飲ませることで、日本酒の味の違いを明確に飲者に理解してもらうことができるものである。
【０００４】
このように、日本酒には、お猪口、枡などの日本伝統の飲料用容器が古くから用いられていたが、コップなどで飲むことも行われているし、上記のような特許文献２の容器も提案されており、日本酒の楽しみ方の多様化を図る試みがなされている。
【０００５】
特に、最近は日本酒をワインと同じように楽しむことが多くなり、洋食レストラン、洋酒バー、ビアホール、バルなどの従来欧米のアルコール飲料が適するとされた洋風飲食店でも提供されるなど、オシャレな日本酒の楽しみ方が普及しつつある。またその際、客の目の前で、日本酒をグラスにオシャレに注いで提供することも多くなされている。
【０００６】
ところが、日本酒の多くはワインボトルよりも大きな一升瓶で提供されることもあり、洋風飲食店などで提供するワインの量を一定にすることが困難であり熟練を要するものである。
【０００７】
他方、今日の就業形態の多様化から、飲食店では非正規従業者が顧客へのサービスを行うことも多く、原価計算などから飲食店が予め定めた適正量よりも多い量の日本酒を客に提供してしまうこともあった。
【０００８】
これに対して、特許文献３にあっては、焼酎その他の飲料を、お湯、水、氷その他の飲料で希釈し飲用するために用いるグラスその他の容器にあって、容器を液体で満たした場合の満容量を１００％とした場合に、満容量の８０％の液体を注いだ場合の液面の位置よりも低い位置に規定容量表示を数字で付し、規定容量表示を基準に目盛りを付すことにより、好みの比率で焼酎を水で希釈して氷を入れた焼酎の水割りを作成し飲用することが可能となる容器が提案されている。
【０００９】
ところが、数字と目盛りが付された容器でアルコール飲料を提供することは、たとえ数字と目盛りが意匠的装飾中に表示されているものであっても、飲む者に対して不快感や与えるおそれもある。特に、オシャレに日本酒を楽しむというコンセプトとは相容れない提案である。
【先行技術文献】
【特許文献】
【００１０】
【特許文献１】特開2008-289887号公報
【特許文献２】特開2015-223297号公報
【特許文献３】登録実用新案第3193685号公報
【考案の概要】
【考案が解決しようとする課題】
【００１１】
本考案が解決しようとする課題は、オシャレに日本酒をワイン風に楽しむというコンセプトに合致しつつ、熟練を要することなく所定量の日本酒を提供することができる日本酒用ワイングラスの提供を図ることにある。
【課題を解決するための手段】
【００１２】
本考案は、酒を注ぐことができるカップ部を備え、前記カップ部は、注がれる酒が日本酒であることを飲用者に理解させることができる酒種表示部を備え、前記酒種表示部が、前記カップ部に注がれる日本酒の量が所定の設定値となる位置に配置されていることにより、日本酒用のワイングラスであることを表示すると共に適正量の日本酒を前記カップ部に注ぐことができるように促すことができるように構成されたことを特徴とする日本酒用ワイングラスを提供する。
【考案の効果】
【００１３】
本考案は、オシャレに日本酒をワイン風に楽しむというコンセプトに合致しつつ、熟練を要することなく所定量の日本酒を注ぐことができる日本酒用ワイングラスを提供することができたものである。
【００１４】
さらに本考案は、所定量の日本酒を計測しながら注ぐことができ、且つ、計測しながら注いでいることを飲食店の客などの部外者に気づき難くした日本酒用ワイングラスを提供することができたものである。
【図面の簡単な説明】
【００１５】
【図１】本考案の実施の形態に係る日本酒用ワイングラスの正面から見た説明図。
【図２】同使用状態の説明図。
【考案を実施するための形態】
【００１６】
この実施の形態に係る日本酒用ワイングラス１１は、酒類を受容するカップ部１２と、これを支持する細軸のステム部１３と、全体を安定して支えるフット部１４とを備えた標準的なワイングラスの形状を示すものであり、ガラスや合成樹脂にて形成されているが、その具体的形状については種々変更して実施することができる。
【００１７】
カップ部１２の側面には、酒種表示部２１が設けられている。この酒種表示部２１は、ブラスト加工、印刷加工や金属加工などの、ガラスや合成樹脂の一般的な装飾技術によって形成することができる。日本酒用ワイングラス１１は透明や半透明であるのが一般的ではあるが、部分的に不透明であったり、金属素材で装飾が施されていたりするものであってもかまわないが、酒種表示部２１の周辺は透明又は半透明とすることによって、注がれる日本酒の量が外部から認識できるように構成することが必要である。
【００１８】
酒種表示部２１は、カップ部１２に注がれる酒が日本酒であることを飲用者に理解させることができる表示であり、具体的には、Ｓａｋｅ、ＳＡＫＥ、ｓａｋｅなどのアルファベットや、酒、日本酒、吟醸などの漢字や、さけ、にほんしゅ、レイシュなどの平仮名又は片仮名による酒種表示文字を含むものが適当であり、必要に応じて、Ｓｐｅｃｉａｌ、特選などの等級や、地名や、商標や、図案などの付加的表示を含むものであってもかまわないし、異なる文字種を併用混用してもよい。
【００１９】
この酒種表示部２１は、カップ部１２に注がれる日本酒の量が所定の設定値となる位置に配置されている。具体的には、1800ccの一升瓶で日本酒を注ぐことを想定した場合、一本の一升瓶から20杯分の日本酒を取ることができる量を設定値とした場合、90ccが一杯分の量となる。従って、日本酒用ワイングラス１１の直立状態で、カップ部１２中の日本酒の量が90ccとなる位置に、酒種表示部２１を配置する。また、一本の一升瓶から15杯分の日本酒を取ることができる量を設定値とした場合、120ccが一杯分の量となる。従って、日本酒用ワイングラス１１の直立状態で、カップ部１２中の日本酒の量が120ccとなる位置に、酒種表示部２１を配置する。
【００２０】
この例では、一つの酒種表示部２１によって、90ccとなる位置と、120ccとなる位置を表示することができるように、酒種表示部２１に大量表示２２と小量表示２３とを設ける。具体的には、大量表示２２は酒種表示部２１の上端（最も高い位置にある表示部分）によって構成されており、図の例では、「Ｓ」「ｋ」の２つの文字の上端が大量表示２２となっているもので、この大量表示２２で示される位置まで液面３１が達するようにすることによって120ccの日本酒を注ぐことができる。また、小量表示２３は酒種表示部２１の下端（最も低い位置にある表示部分）によって構成されており、図の例では、「Ｓ」「ａ」「ｋ」「ｅ」の４つの文字の下端が大量表示２２となっているもので、この小量表示２３で示される位置まで日本酒を注ぐことによって90ccの日本酒を注ぐことができる。大量表示２２と小量表示２３とは、酒種表示部２１にそれぞれ一カ所だけ設けることもできるが、図示したように、それぞれ横方向に複数箇所同じ高さで設けることが望ましい。このように、横方向に複数箇所設けた場合、液面３１が全ての大量表示２２又は小量表示２３と合致しているか否かを確認することによって、日本酒用ワイングラス１１が正しく直立状態であるか否かを容易に確認することができ、より正確な計量を行うことができる。
【００２１】
このように、この実施の形態に係る日本酒用ワイングラス１１にあっては、一升瓶で日本酒をサービスすることに熟練しない者にあっても、酒種表示部２１を目印にして計量しながら日本酒を注ぐことによって、常に正確な量の日本酒を提供するとこができる。
【００２２】
その際、酒種表示部２１は、大量表示２２と小量表示２３との何れか一方のみを示すものであってもよいが、双方を一つの酒種表示部２１設けることによって、同じ日本酒用ワイングラス１１で複数の量を計量することができる。
【００２３】
他方、飲食店などでサービスを受ける客に対しては、日本酒であることを表示する酒種表示部２１がワイングラスに表示されている結果、日本酒専用のワイングラスで日本酒を楽しんでいることを印象付けることができ、オシャレに日本酒を楽しむというコンセプトに適合するものであると同時に、計量されていることを気づかずに正確な量の日本酒を注いでもらうことができ、適正で平等なサービスを受けることができるものである。
【符号の説明】
【００２４】
１１  日本酒用ワイングラス
１２  カップ部
１３  ステム部
１４  フット部
２１  酒種表示部
２２  大量表示
２３  小量表示
【図１】
0003208760.tif 000003
【図２】
0003208760.tif 000004